(57)【要約】      （修正有）【課題】プログラマブルロジックコントローラの更新を容易に行うことができるプログラマブルロジックコントローラ用延長ケーブルを提供する。【解決手段】プログラマブルロジックコントローラと、プログラマブルロジックコントローラが制御を行う被制御装置の信号を出力または入力する被制御装置側端子台７との接続を行うプログラマブルロジックコントローラ用延長ケーブル１００であって、被制御装置側端子台７に着脱可能にかつ接続するための対応する接点３を有するプリント基板１と、プリント基板１の信号を出力または入力するためプリント基板１に接続された信号ケーブル４と、プログラマブルロジックコントローラに変換ユニット１０を介して着脱可能にかつ信号ケーブル４が接続され信号をプログラマブルロジックコントローラに出力または入力するための端子接点９を有する端子台５とを備える。【選択図】図２
0003151895.tif 000002
【実用新案登録請求の範囲】
【請求項１】
プログラマブルロジックコントローラと、プログラマブルロジックコントローラが制御を行う被制御装置の信号を出力または入力する被制御装置側端子台との接続を行うプログラマブルロジックコントローラ用延長ケーブルであって、
上記被制御装置側端子台に着脱可能にかつ接続するための対応する接点を有するプリント基板と、
上記プリント基板の信号を出力または入力するため上記プリント基板に接続された信号ケーブルと、
上記プログラマブルロジックコントローラに着脱可能にかつ上記信号ケーブルが接続され信号を上記プログラマブルロジックコントローラに出力または入力するための端子接点を有する端子台とを備えたことを特徴とするプログラマブルロジックコントローラ用延長ケーブル。
【請求項２】
上記端子台は、上記プログラマブルロジックコントローラに配設されている変換ユニットに着脱可能に接続されていることを特徴とする請求項１に記載のプログラマブルロジックコントローラ用延長ケーブル。
【考案の詳細な説明】
【技術分野】
【０００１】
この考案は、プログラマブルロジックコントローラと計算機との切り替え作業を容易に行うことができるプログラマブルロジックコントローラ用延長ケーブルに関するものである。
【背景技術】
【０００２】
従来のプログラマブルロジックコントローラと、計算機（パーソナルコンピュータなど）とで構成されるシステム更新作業は、既設システムを撤去した後に更新システムを取付け、動作試験を行う。しかし、新システムに更新するまでに、新システムの試験期間を設け、新システムの健全性の確認が終了するまで、旧システムを長期間停止することができない状況がある。この場合、更新システムを仮設し、既設システムと更新システムとを頻繁、かつ、短時間で切り替える必要が発生した。
【０００３】
既設システムと更新システムとの切り替えには、複数のプログラマブルロジックコントローラの端子台に接続する多数の圧着端子の付替えを短時間で行う必要があり、切り替えの都度実施している。
【考案の開示】
【考案が解決しようとする課題】
【０００４】
従来のプログラマブルロジックコントローラと計算機との更新は、多数の圧着端子の付替えるため手間がかかるとともに、付替えにおいてはそれを行う作業者の技量による差異が生じるという問題点があった。また、圧着端子の付替えによる接続誤りが発生したり、品質低下したり、端子台や圧着端子の劣化促進による接触不良が生じたりするという問題点があった。
【０００５】
この考案は上記のような課題を解決するためになされたものであり、プログラマブルロジックコントローラと計算機との切り替え作業を容易に行うことができるプログラマブルロジックコントローラ用延長ケーブルを提供することを目的とする。
【課題を解決するための手段】
【０００６】
この考案は、プログラマブルロジックコントローラと、プログラマブルロジックコントローラが制御を行う被制御装置の信号を出力または入力する被制御装置側端子台との接続を行うプログラマブルロジックコントローラ用延長ケーブルであって、
被制御装置側端子台に着脱可能にかつ接続するための対応する接点を有するプリント基板と、
プリント基板の信号を出力または入力するためプリント基板に接続された信号ケーブルと、
プログラマブルロジックコントローラに着脱可能にかつ信号ケーブルが接続され信号をプログラマブルロジックコントローラに出力または入力するための端子接点を有する端子台とを備えたものである。
【考案の効果】
【０００７】
この考案のプログラマブルロジックコントローラ用延長ケーブルは、プログラマブルロジックコントローラと、プログラマブルロジックコントローラが制御を行う被制御装置の信号を出力または入力する被制御装置側端子台との接続を行うプログラマブルロジックコントローラ用延長ケーブルであって、
被制御装置側端子台に着脱可能にかつ接続するための対応する接点を有するプリント基板と、
プリント基板の信号を出力または入力するためプリント基板に接続された信号ケーブルと、
プログラマブルロジックコントローラに着脱可能にかつ信号ケーブルが接続され信号をプログラマブルロジックコントローラに出力または入力するための端子接点を有する端子台とを備えたので、プログラマブルロジックコントローラの更新を容易に行うことができる。
【図面の簡単な説明】
【０００８】
【図１】この考案の実施の形態１のプログラマブルロジックコントローラ用延長ケーブルの構成を示す図である。
【図２】図１に示したプログラマブルロジックコントローラ用延長ケーブルの使用方法を示した図である。
【図３】図１に示したプログラマブルロジックコントローラ用延長ケーブルの使用方法であるシステム切り替え方法を示した図である。
【図４】図１に示したプログラマブルロジックコントローラ用延長ケーブルのプリント基板の例を示した図である。
【図５】図１に示したプログラマブルロジックコントローラ用延長ケーブルのプリント基板の例を示した図である。
【考案を実施するための形態】
【０００９】
実施の形態１．
以下、本願考案の実施の形態について説明する。図１はこの考案のプログラマブルロジックコントローラ用延長ケーブルの構成を示す図、図２は図１に示したプログラマブルロジックコントローラ用延長ケーブルの使用方法を説明するための図、図３は図１に示したプログラマブルロジックコントローラ用延長ケーブルを用いたプログラマブルロジックコントローラと計算機とのシステムの切り替え方法を説明するための図、図４および図５は図１に示したプログラマブルロジックコントローラ用延長ケーブルのプリント基板の例を示した図である。
【００１０】
図において、プログラマブルロジックコントローラ用延長ケーブル１００は、プログラマブルロジックコントローラ１５と、プログラマブルロジックコントローラ１５が制御を行う被制御装置の信号を出力または入力する被制御装置側端子台７との接続を行うものである。そして、被制御装置側端子台７に着脱可能にかつ被制御装置側端子台７の複数の端子接点９に接続するための対応する複数の接点３を有するプリント基板１と、プリント基板１の信号を出力または入力するためプリント基板１に接続された信号ケーブル４と、プログラマブルロジックコントローラ１５に着脱可能にかつ信号ケーブル４が接続され信号をプログラマブルロジックコントローラ１５に出力または入力するための複数の端子接点９を有する端子台５とを備えている。また、プリント基板１と信号ケーブル４とはコネクタにより接続されている。また、端子台５は、プログラマブルロジックコントローラ１５に配設されている変換ユニット１０のプリント基板１１に着脱可能に形成されている。また、被制御装置側端子台７および端子台５の裏面側８は、複数の端子接点９が形成されている。
【００１１】
次に上記のように構成された実施の形態１のプログラマブルロジックコントローラ用延長ケーブルの使用方法について説明する。施設システムから更新システム側への切り替えを行う場合に使用されるものである。まず、既設システムは計算機１２とプログラマブルロジックコントローラ１３とから構成されている。更新システムは計算機１４とプログラマブルロジックコントローラ１５とから構成されている。そして、更新前には、既設のプログラマブルロジックコントローラ１３のユニット６のプリント基板１６が被制御装置側端子台７の端子接点９に接続されている。よって、被制御装置側端子台７をプログラマブルロジックコントローラ１３から取り外す。そして、被制御装置側端子台７にプログラマブルロジックコントローラ用延長ケーブル１００のプリント基板１を挿入する。具体的には、被制御装置側端子台７の背面側８は端子接点９を有しており、この端子接点９にプリント基板１の接点３が電気的に接続することとなる。
【００１２】
そして、プログラマブルロジックコントローラ用延長ケーブル１００の他方側の端子台５は、更新する側のプログラマブルロジックコントローラ１５の変換ユニット１０のプリント基板１１を、端子台５の背面側８の端子接点９に接触させ電気的に接続する。このように、被制御装置側端子台７の切り替えの動作を繰り返し行う。そして、更新システムの確認を行い、最終的に確認が終了すると、プログラマブルロジックコントローラ１５の変換ユニット１０のプリント基板１１に直接、被制御装置側端子台７を差し込んでシステムの更新を終了する。
【００１３】
上記のように既設システムから更新システムの更新をプログラマブルロジックコントローラ用延長ケーブルを用いて、何度も差し替えることにより、多量の端子台から圧着端子を付替えすることなく、短時間に切り替わることが可能となり、システムの更新を容易に行うことができる。また、プリント基板に上下の目印を付けるようにすれば、端子台の挿入時、挿入方向の確認が容易となるとともに、挿入誤り（上下反転）を防止することが可能となる。
【００１４】
尚、プリント基板１の具体的な構成としては、例えば図４および図５に示したような構成が可能である。図４のプリント基板１は、１６点入力用、または１６点出力用の正面図（図４（ａ））と背面図（図４（ｂ））とを示す。１６点用は、コネクタ２が２個、接点３は表裏同位置に２０個が配置されている。また、図５のプリント基板１は、３２点−１６点変換用の正面図（図５（ａ））と、背面図（図５（ｂ））とを示す。３２点用は、コネクタ２が４個、接点３は表裏に１９個が互い違いに配置されている。
【符号の説明】
【００１５】
１  プリント基板、３  接点、４  信号ケーブル、５  端子台、
７  被制御装置側端子台、９  端子接点、１０  変換ユニット、
１３，１５  プログラマブルロジックコントローラ、
１００  プログラマブルロジックコントローラ用延長ケーブル。
【図１】
0003151895.tif 000003
【図２】
0003151895.tif 000004
【図３】
0003151895.tif 000005
【図４】
0003151895.tif 000006
【図５】
0003151895.tif 000007